(57)【要約】【課題】寝たきりの患者及び介護者双方の負担を軽くすること。【解決手段】吸収体製品は、便の捕集に供され、装着者の尿を外に排出する導出部２が形成された装着カバー１と、尿吸収カプセル５と、装着カバーと尿吸収カプセルを着脱可能に結合するコネクター３とを有する。便と尿の捕集が別々であり、便の捕集は装着カバーで行い、尿の捕集は尿吸収カプセルで行うので、排泄頻度の高い尿処理のためには尿吸収カプセルだけを交換すればよい。介護者はオムツ交換の負担が軽減する。尿吸収カプセルの交換が容易なので、施設や病院での介護者の負担が軽減し、自宅での家族の介護も容易になる。【選択図】図５４
2007325717.tif 000002
【特許請求の範囲】
【請求項１】
装着者の腰部に装着され、装着者の便の捕集に供されるとともに、装着者の尿を外に排出するための導出部が形成された装着カバーと、
前記装着カバーの外に設けられ、装着者の尿を入口部から受け入れて捕集する尿吸収カプセルと、
前記装着カバーの導出部と前記尿吸収カプセルの入口部が連通するように前記装着カバーと前記尿吸収カプセルを着脱可能に結合し、装着者の尿を前記尿吸収カプセルの内部に誘導するコネクターと、
を有することを特徴とする吸収体製品。
【請求項２】
前記コネクターが前記装着カバーと一体であり、前記尿吸収カプセルが、前記装着カバーと一体になった前記コネクターに対して着脱可能とされたことを特徴とする請求項１記載の吸収体製品。
【請求項３】
前記コネクターが前記尿吸収カプセルと一体であり、その前記尿吸収カプセルと一体となった前記コネクターが、前記装着カバーに対して着脱可能とされたことを特徴とする請求項１記載の吸収体製品。
【請求項４】
前記装着カバーにおいて、漏洩した尿を吸収するための吸収体が少なくとも前記導出部の周辺の内面側に設けられたことを特徴とする請求項１乃至３のいずれか１つに記載された吸収体製品。
【請求項５】
前記コネクターが、前記装着者の体表面に沿った立体形状を有することを特徴とする請求項１乃至３のいずれか１つに記載された吸収体製品。
【請求項６】
前記コネクターが男性用であり、ぺニスの挿通する通孔部を有することを特徴とする請求項１乃至５のいずれか１つに記載された吸収体製品。
【請求項７】
前記コネクターが女性用であり、陰唇部位を被覆するようなカップ状の立体構造を有することを特徴とする請求項１乃至５のいずれか１つに記載された吸収体製品。
【請求項８】
前記尿吸収カプセルが、液不透過性の材料からなる袋体と、前記袋体の内部に設けられて尿を吸収して固定化する吸収体とを有することを特徴とする請求項１乃至７のいずれか１つに記載された吸収体製品。
【請求項９】
前記尿吸収カプセルにおいて、前記袋体がタックをもって形成され、前記袋体と前記吸収体との間に設けられた液ガイド部を有することを特徴とする請求項８に記載された吸収体製品。
【請求項１０】
前記尿吸収カプセルが、前記コネクタを介して前記装着カバーに結合された第１の尿吸収カプセルと、前記第１の尿吸収カプセルに管をもって連通し前記第１の尿吸収カプセルに流入した尿を受け入れて貯蔵する第２の尿吸収カプセルとを有することを特徴とする請求項１乃至７のいずれか１つに記載された吸収体製品。
【発明の詳細な説明】
【技術分野】
【０００１】
本発明は、特に介護者が必要な寝たきり状態や車椅子利用状態等の患者が装着して使用する吸収体製品であって、排出の頻度が異なる便と尿を別々に捕集できるために装着者にとって装着感がよく、かつ吸収体製品の交換を行う介護者にとっても便又は尿を捕集する各部分について必要な限度で確認及び交換を行えば済むため作業負担が軽くてすむ吸収体製品に関するものである。
【背景技術】
【０００２】
自力で排泄の処置ができない要介護状態の患者が使用する吸収体製品としては、患者の腰部に装着して便と尿を捕集処理するフラップ状パルプや高分子吸収体（ＳＡＰ）を吸収体成分として用いたテープタイプやパンツタイプのオムツが利用されている。そして、要介護状態にある患者の中でも、特に血管疾患系の病気を患っている患者の場合には、普段から水分を多く補給させるため、一回の排尿量はかなりの量となり、排尿回数も多くなるため、市販のオムツの中に大容量尿パッドを敷いて使用することがある。
【発明の開示】
【発明が解決しようとする課題】
【０００３】
ところが、このような患者の場合は、上述した通り一回の排尿量が多く、排尿回数も多いため、尿閉も重なると、特に夜間（睡眠時）には市販のオムツに大容量尿パッドを組合せて使用したとしても、溢れてしまうくらいの排尿量となって対応できなくなり、結果的に着衣、寝具等を汚染し、これら全てを交換せざるを得ないような事態が出来する。
【０００４】
オムツの交換は非常に面倒な作業であり、排便の回数（一日平均０〜３回）と比べると排尿の回数（昼間平均５〜８回、夜間平均０〜２回）は多く、排尿の度にオムツを交換するのは、介護者にとってはかなりの負担となっている。
【０００５】
しかも市販のオムツはサイズが大きく、総吸収量としては大きくても局所的には吸収量が十分ではない場合もあり、たとえ尿パッドを併用したところでも漏れてしまうおそれがある。漏れてしまった場合は、オムツ自体に加えてパジャマやベッドシーツなども併せて交換を余儀なくされ、患者の身体を清潔に保ちつつ、それらを全て交換することは、介護者にとってはかなりの重労働であるとともに心労を伴うものである。
【０００６】
本発明は、上述した課題を解決するためになされたものであり、排便後はオムツを交換せざるを得ないとしても、尿に関しては、なるべくオムツとは別の手段を講じて確実に捕集し、容易に回収・交換ができるようにし、装着者（患者）及び介護者双方の負担を軽くすることを目的としている。
【課題を解決するための手段】
【０００７】
請求項１に記載された吸収体製品は、
装着者の腰部に装着され、装着者の便の捕集に供されるとともに、装着者の尿を外に排出するための導出部が形成された装着カバーと、
前記装着カバーの外に設けられ、装着者の尿を入口部から受け入れて捕集する尿吸収カプセルと、
前記装着カバーの導出部と前記尿吸収カプセルの入口部が連通するように前記装着カバーと前記尿吸収カプセルを着脱可能に結合し、装着者の尿を前記尿吸収カプセルの内部に誘導するコネクターと、
を有することを特徴としている。
なお、上記コネクターは、装着カバーと尿吸収カプセルを着脱できるあらゆる連結手段を含み、その構成は、独立した部材、装着カバーと一体、尿吸収カプセルと一体のいずれの構成でもかまわない。
【０００８】
請求項２に記載された吸収体製品は、請求項１記載の吸収体製品において、
前記コネクターが前記装着カバーと一体であり、前記尿吸収カプセルが、前記装着カバーと一体になった前記コネクターに対して着脱可能とされたことを特徴としている。
【０００９】
請求項３に記載された吸収体製品は、請求項１記載の吸収体製品において、
前記コネクターが前記尿吸収カプセルと一体であり、その前記尿吸収カプセルと一体となった前記コネクターが、前記装着カバーに対して着脱可能とされたことを特徴としている。
【００１０】
請求項４に記載された吸収体製品は、請求項１乃至３のいずれか１つに記載された吸収体製品において、
前記装着カバーにおいて、漏洩した尿を吸収するための吸収体が少なくとも前記導出部の周辺の内面側に設けられたことを特徴としている。
【００１１】
請求項５に記載された吸収体製品は、請求項１乃至３のいずれか１つに記載された吸収体製品において、
前記コネクターが、前記装着者の体表面に沿った立体形状を有することを特徴としている。
【００１２】
請求項６に記載された吸収体製品は、請求項１乃至５のいずれか１つに記載された吸収体製品において、
前記コネクターが男性用であり、ぺニスの挿通する通孔部を有することを特徴としている。
【００１３】
請求項７に記載された吸収体製品は、請求項１乃至５のいずれか１つに記載された吸収体製品において、
前記コネクターが女性用であり、陰唇部位を被覆するようなカップ状の立体構造を有することを特徴としている。
【００１４】
請求項８に記載された吸収体製品は、請求項１乃至７のいずれか１つに記載された吸収体製品において、前記尿吸収カプセルが、液不透過性の材料からなる袋体と、前記袋体の内部に設けられて尿を吸収して固定化する吸収体とを有することを特徴としている。
【００１５】
請求項９に記載された吸収体製品は、請求項８に記載された吸収体製品において、前記尿吸収カプセルにおいて、前記袋体がタックをもって形成され、前記袋体と前記吸収体との間に設けられた液ガイド部を有することを特徴としている。
【００１６】
請求項１０に記載された吸収体製品は、請求項１乃至７のいずれか１つに記載された吸収体製品において、前記尿吸収カプセルが、前記コネクタを介して前記装着カバーに結合された第１の尿吸収カプセルと、前記第１の尿吸収カプセルに管をもって連通し前記第１の尿吸収カプセルに流入した尿を受け入れて貯蔵する第２の尿吸収カプセルとを有することを特徴としている。
【発明の効果】
【００１７】
請求項１に記載された吸収体製品によれば、便と尿の捕集を別々とし、便の捕集は装着カバーで行い、尿の捕集は尿吸収カプセルで行うこととし、両者はコネクターで着脱可能として尿吸収カプセルだけを交換することができる。
【００１８】
すなわち、機能的には、装着カバーは主に便の捕集をし、尿吸収カプセルは排泄された尿を100%吸収することができ、仮に装着状態の不具合等で尿吸収カプセルから溢れてしまった液や、伝いモレ等でこぼれてしまう少量の液は、装着カバー内に流れて吸収されるのでカバー外へ漏れることはない。
【００１９】
また、装着者にとっては、尿と便を分離し、尿と便の捕集場所を隔離することにより、尿と便が混ざり合うことによって生じる臭気の発生や、それらが直接肌に触れることによって生じる皮膚のカブレなど、様々な弊害が無くなる。また、尿吸収カプセルの容量やサイズを変更することにより、多量の尿や頻尿などにも柔軟に対応することができる。
【００２０】
介護者にとっては、装着カバーの外に位置する装脱着が容易な尿吸収カプセルに尿の吸収部分を集中させることにより、オムツ交換の負担が軽減する。また、尿吸収カプセルの交換を容易にすることにより、施設や病院での介護者の負担が軽減するだけでなく、自宅での家族の介護も容易になる。また、現在介護者が行っているオムツの装着法をそのまま利用できるため、装着の失敗などもほとんど生じない。さらに、尿のみを尿吸収カプセル内に閉じこめて固定化することにより、交換時の不快な臭気の発生を防ぐことができる。
【００２１】
請求項２に記載された吸収体製品によれば、請求項１記載の吸収体製品による効果に加え、コネクターが一体に取り付けられた装着カバーに対し、尿吸収カプセルを容易に着脱することができる効果が得られる。
【００２２】
請求項３に記載された吸収体製品によれば、請求項１記載の吸収体製品による効果に加え、装着カバーに対し、コネクターが一体に取り付けられた尿吸収カプセルを容易に着脱することができる効果が得られる。
【００２３】
請求項４に記載された吸収体製品によれば、請求項１乃至３のいずれか１つに記載された吸収体製品による効果に加え、仮に装着状態の不具合等で尿吸収カプセルから溢れてしまった液や、伝いモレ等でこぼれてしまう少量の液が装着カバー内に流れこんでも、導出部の周辺にある吸収体がこれを吸収するのでカバー外へ漏れることはないという効果が得られる。
【００２４】
請求項５に記載された吸収体製品によれば、請求項１乃至３のいずれか１つに記載された吸収体製品による効果に加え、装着カバーと尿吸収カプセルを接続連通するコネクターが装着者の体表面にフィットするので、当該部分における尿漏れが起こりにくく、また装着感が向上するという効果が得られる。
【００２５】
請求項６に記載された吸収体製品によれば、請求項１乃至５のいずれか１つに記載された吸収体製品による効果に加え、装着者が男性である場合に、通孔部がぺニスを保持して尿を確実に尿吸収カプセルに導くことができるので、尿は装着カバーの内外に漏れにくい。
【００２６】
請求項７に記載された吸収体製品によれば、請求項１乃至５のいずれか１つに記載された吸収体製品による効果に加え、装着者が女性である場合に、尿道口から排出された尿はコネクターのカップ状の立体構造内から安定して尿吸収カプセルに導かれるので、尿は装着カバーの内外に漏れにくい。
【００２７】
請求項８に記載された吸収体製品によれば、請求項１乃至７のいずれか１つに記載された吸収体製品による効果に加え、尿吸収カプセルに導かれた尿は吸収体に伝わって効率的に吸収・固定化されるという効果が得られる。
【００２８】
請求項９に記載された吸収体製品によれば、請求項８に記載された吸収体製品による効果に加え、尿吸収カプセルに導かれた尿は、液ガイド部により吸収体の全面に伝わって効率的に吸収・固定化され、またタックのある袋体により吸収前はコンパクトであるにも関わらず吸収後は膨らんで大容量となるという効果が得られる。
【００２９】
請求項１０に記載された吸収体製品によれば、請求項１乃至７のいずれか１つに記載された吸収体製品による効果に加え、排泄された尿を装着カバーに接続された第１の尿吸収カプセルに溜めつつ、この尿を、これと管で接続され、装着カバーの外にある第２の尿吸収カプセルに移して捕集することができるので、大量の尿でも対応することができる。
【発明を実施するための最良の形態】
【００３０】
次に、本願発明における最良の実施形態（以下本例とも呼ぶ）を説明する。
なお、実施形態は種々のバリエーションを含んでいるが、図面中に表した実施形態の構成要素に付す符号は、バリエーションの相違に係わらず、発明の構成要素として実質的に同等の場合は原則的として同一の符号を付して説明することとし、発明の種々の形態を統一的に説明するとともに参照符号の区別による煩雑を避けることとした。
【００３１】
１．本例の概要
本例の吸収体製品は、主として便を捕集するために着用者の身体（腰部）に装着されるおむつ状の装着カバーと、専ら尿を捕集するために装着カバーの外側に設けられて尿吸収を行わしめる尿吸収カプセルと、その尿吸収カプセルを装着カバーに取り付けるためのコネクターから構成される。
【００３２】
なお、後に詳述するように、連結手段としてのコネクターは、装着カバーと尿吸収カプセルを着脱可能に連結して尿を尿吸収カプセルに導く機能を有するものであればよく、コネクター付属型の装着カバーに対して尿吸収カプセルを接続する構造でもよいし、また装着カバーに対してコネクター付属型の尿吸収カプセルを接続する構造でもよい。さらに、装着カバーと、コネクターと、尿吸収カプセルをそれぞれ別体とし、装着時に互いに接続・連結される構造でもよい。
【００３３】
以上のように便と尿の捕集場所を分離した構成であるから、排便後は装着カバーを交換することとなるが、尿に関しては、装着カバーではなく装着カバーの外に別途設けた尿吸収カプセルだけで確実に捕集できるので尿カプセルだけを回収・交換することで対応できる。これは、介護者にとって負担の大きい従来のオムツに相当する装着カバーの交換作業を、排尿に比べて回数が少ない排便の頻度で行えることを意味し、介護者の負担を大幅に軽減するものである。
【００３４】
すなわち、本例は、介護者による装着者への装着を前提とした製品であり、対象となる装着者としては、車椅子利用者や寝たきり患者、認知症患者等の要介護者が挙げられる。特に血管疾患系の病気（脳血管疾患、心疾患、糖尿病等）を患っている患者（一日または一回の排尿量の多い患者）や、現在尿瓶やオムツ等を利用している患者には特に適している。また、本例の製品は、使用場所としては自宅、施設、病院での利用に適しており、使用時間帯としては昼間の休養時や、夜間の睡眠時等のあらゆる時間帯での利用に適している。
以下、本例の製品を構成する装着カバー、コネクター、尿吸収カプセルの各構成要素と、各要素間の結合構造等について説明する。
【００３５】
２．装着カバー（図１〜図１４）
装着カバー１は、主として便の捕集のためのオムツとして装着者の腰部に装着するものであり、またこれに対して後述する別体の尿吸収カプセル又はコネクターを装脱着する対象となるものである。また、装着カバー１は、主として便の捕集のためではあるが、尿吸収カプセルから尿があふれ出てしまった場合には、後述するようにこれを吸収する機能も備えることが好ましい。従って通常の市販されている大人用オムツをこの装着カバーとして利用することも可能であるが、より薄くて通気性に優れ、蒸れにくく設計された専用の装着カバーを使用することが好ましい。本例では、装着カバー１の基本的構造として、前部開口型（パンツ型及びテープ型）と、前身頃無しコネクター固定型の２種類を例示する。
【００３６】
(1) 前部開口型
前部開口型の装着カバー１は、従来のテープ型及びパンツ型のオムツの前身頃（局部付近）に、尿吸収カプセルを装着するための尿の導出部（開口部としての孔やスリット）が設けられたものである。
図１（ａ）に示すパンツ型の装着カバー１は、腰部両側端がシールされ袋体の底部に脚を通す２つの孔が形成された構造であり、寝たきり患者以外の要介護者用により適している。使用時の主な体位は立位、座位とするのがよい。図１（ｂ）に示すように、この装着カバー１のスリット状の開口部である導出部２から筒状のコネクター３が突出するように取り付け、このコネクター３の外に袋状の尿吸収カプセル５を取り付ける。このコネクター３の通孔部４に装着者のペニスを通し、ペニスの先端を尿吸収カプセル５内に配置する。すなわち、この例は男性用である。
【００３７】
これに対し、図２（ａ）に示すテープ型の装着カバー１は、着用時の腰部両側面において着脱可能な結束手段１０により開閉自在とされた展開形状が略砂時計形の構造であり、主に寝たきり患者用に適している。使用時の主な体位は仰臥位、横臥位とするのがよい。図２（ｂ）に示すように、この装着カバー１のスリット状の開口部である導出部２から筒状のコネクター３が突出するように取り付け、このコネクター３の外に袋状の尿吸収カプセル５を取り付ける。このコネクター３の通孔部４に装着者のペニスを通し、ペニスの先端を尿吸収カプセル５内に配置する。この例も男性用である。
【００３８】
図３〜図６は、テープ型の装着カバー１の平面展開図であり、略砂時計形の展開形状の４隅には着用時の結束のために結束手段１０（面ファスナー等）が設けられているが、パンツ型の装着カバー１も着用時の腰部の両側面で縦に切断して展開すれば同様の形状となる。図３〜図６に示すように、本例では、装着カバー１の導出部２（開口部）の周囲の少なくとも一部と、便の捕集位置である後方部分には、吸収体１１が連続して設けられており、便からの水分を吸収する他、後述する尿吸収カプセル５に行くべき尿が誤って装着カバー１内に漏れた場合に吸収できるようになっている。
【００３９】
図３の例では、長円状スリットである導出部２の全周囲を覆って矩形の吸収体１１が設けられている。図４の例では長円状スリットである導出部２の全周囲を挟む両側に２本の矩形帯状の吸収体１１が設けられている。図５の例では台形状の導出部２の前側以外の周囲、特に後側の広い範囲に前方２又後方矩形の吸収体１１が設けられている。図６の例では長円状スリットである導出部２の周囲に所定の間隔を置くように長円状の孔１２がくりぬかれた矩形の吸収体１１が設けられている。
このように、導出部２の周辺には尿漏れの可能性があるので、少なくとも導出部２の周囲の一部分に吸収体１１を設けておけば、仮に尿漏れが生じた場合でも吸収することができる。装着カバー内に用いられる吸収体としては市販オムツに用いられている吸収体、例えばフラップパルプ、フラップパルプとＳＡＰの混合体あるいはＳＡＰ主成分のエアレイド吸収体等が使用可能であるが、後述するような導出部の加工を配慮すると図５７及び図５８に例示するような不織布面にライン状にＳＡＰをコーティングした構造を持つシート状の吸収体を用いることによって、図５８のようにＳＡＰの存在しない部位にスリットを設けることによって導出部の形成も容易にすることができる。
【００４０】
(2) 導出部２の形状
本例の装着カバー１に設けられた尿の導出部２の形状例について説明する。なお、装着カバーの形状は着用状態を模式的に示したものであり、パンツタイプであってもテープタイプであってもよい。
図７（ａ）〜（ｄ）にそれぞれ示すように、装着カバー１の導出部２（開口部）は、直線型（ａ）、十字型（ｂ）、曲線型（ｃ）、複数スリット型（ｄ）のように種々の形状とすることができる。装着者の体型の個人差や装着時の体位などにより、後述する尿吸収カプセル５及びこれと結合するためのコネクター３の位置は変化することがあるが、本例のように導出部２のスリット形状を工夫することによりコネクター３や尿吸収カプセル５の位置を微調整することが可能となる。
【００４１】
図８（ａ）〜（ｄ）にそれぞれ示すように、装着カバー１の導出部２（開口部）を、楕円形（ａ）、長方形（ｂ）、三角形（ｃ）、台形（ｄ）のように種々の形状とすることができる。このようなくり抜き形状は図７に示したようなスリットに比べると穴の面積が広いため、尿吸収カプセル５やコネクター３の装着が比較的容易になる。
【００４２】
当該前側に形成する導出部２は、図９に示すような折り返し構造とすることができる。
すなわち、図９（ａ）〜（ｄ）にそれぞれ示すように、Ｔ字形（ａ）、十字形（ｂ）、Ｉ字形（ｃ）、逆Ｕ字形（ｄ）のような各形状で、装着カバー１の導出部２（開口部）を、装着カバー１の前身頃にスリットを入れて形成し、その切り込み部分を装着カバー１の内側もしくは外側の方へと折り込み、その折り込んだ部分によって導出部の形成の際生ずる吸収体成分の外部への脱落を防止するとともにコネクターと装着カバーとの密着性を高めることにより、尿がコネクターを伝わって外部へ漏れるのを防止できる。
【００４３】
例えば、図９（ｄ）に示すように、逆Ｕ字形に切り開いて舌片状部分を装着カバー１の内側に折り込むと、仮に尿が漏れて舌片状部分に流れた場合、この尿は装着カバー１の底部分にある吸収体１１の多い部分（導出部２周辺から便の捕集位置に至る領域）に集まるので、効率的に吸収されることとなる。
【００４４】
(3) 導出部２の処理方法
図１０（ａ）に示すように、装着カバー１が、内面の液透過性シート（トップシート１２）と外側の液不透過性シート（バックシート１３）の間に吸収体１１を封入したシート材料からなり、その吸収体１１が、便を受けるべき位置の他、導出部２を形成しようとする前側の位置にも設けられている場合には導出部を形成する際に吸収体も一緒に切断することになり吸収体成分であるパルプやＳＡＰの脱落の危険性が生ずる。このような場合は、スリット状、くり抜き状の開口部である導出部２を形成するために、次に説明するような構造・方法を採用することができる。
【００４５】
図１０（ａ）〜（ｃ）に示すのは熱圧着による方法・構造であり、バックシート１３とトップシート１２を中身の吸収体１１ごと熱圧着して導出部２の縁辺を封着固定して内部の吸収体１１が外に出ないようにする。導出部２をスリット状にする場合、装着カバー１内に使用する吸収体１１としては、少なくともスリットを形成する圧着部分については図５７及び図５８に示したようなシート状吸収体例えばMegaThin（登録商標）など）を用いることが望ましい。
【００４６】
図１１（ａ）〜（ｃ）に示すのは不織布１４を両面に貼り付けによる方法・構造であり、装着カバー１の吸収体１１の一部分を切断線で示すように切断してくり抜く、除去した後、開口が形成された不織布１４を両面から張り合わせるものである。
【００４７】
図１２（ａ）〜（ｃ）に示すのはバックシート１３ごと折り返す方法・構造であり、装着カバー１に導出部２となるスリットを入れた後、バックシート１３及びトップシート１２ごと内側に折り返し、接着手段を介して接着するものである。
【００４８】
図１３（ａ）〜（ｄ）に示すのは不織布１４を片面に貼り付け、折り返す方法・構造であり、装着カバー１にスリットを入れるか、もしくはくり抜いた後、外側から不織布１４Ａ，１４Ｂ（又はフィルム等）と２枚の不織布切片を貼り、これを内側に織り込んで内面に接着するものである。
【００４９】
(4) 前身頃無しコネクター固定型
本例の装着カバーの基本的構造の他の例として、前身頃無しコネクター固定型を図１４を参照して説明する。図１４に示す装着カバー１は、主に股下部分から後身頃及び後身頃に連続する左右ウエスト部分１ａを主体としており、左右ウエスト部分１ａの間に横方向の横固定バンド１５を設け、股下部分と横固定バンド１５の中央との間にコネクター固定用の縦バンド１６が接続された構造である。これを装着者の腰部に装着した場合、股下部分から後身頃の部分が装着者の便の捕集に供され、前身頃に相当する開放部分乃至縦バンド１６の下方部に設けられたコネクター３の取り付け部分が装着者の尿を外に排出するための導出部２に相当することとなる。すなわち、縦バンド１６は下方部において上下に分かれており、上下の縦バンド１６の間にコネクター３が取り付けられるようになっている。このような構造でも、本例の吸収体製品の装着カバーとして使用することができる。
【００５０】
３．コネクター３（図１５〜図２１）
コネクター３は、後述する尿専用の吸収部である尿吸収カプセル５を前記装着カバー１に対して確実に装着、固定し、尿吸収カプセル５の交換を簡潔にするための部材である。またコネクター３は、排泄された尿を尿吸収カプセル５内へと誘導するとともに、尿が溢れてしまった場合にはその尿を装着カバー１内へと誘導し、カバー外への漏れをなくすための部材でもある。
【００５１】
上記の機能を達成するために、このコネクター３は、尿吸収カプセル５の取付部分と、装着カバー１の接続部分と、尿吸収カプセル５内への液誘導部分と、局部フィット部分（男性専用の場合はペニス挿入部分、女性専用の場合は陰唇をカバーする部分）の各部（構造）を有しており、全体的な形状としては構造の簡単な略板状の平面型と、装着者の身体の表面形状に沿った立体型のものとを例示する。一般的に表現すれば、男性用の場合は平面型でよいが、兼用の場合あるいは女性専用の場合は立体型になる。
【００５２】
(1) 平面型
図１５（ａ）〜（ｆ）にそれぞ示すように、平面型のコネクター３の形状は、正方形（ａ）、逆三角形（ｂ）、円形（ｃ）、逆台形（ｄ）、中央の円形と左右の矩形部分からなる形状（ｅ）、下方凸形（ｆ）とすることができる他、その他の所望の形状に設定することができる。図１５の例においては、ペニスが相通する中央の通孔部４は挿入性と保持性に優れた多数のスリットを放射状に交差させた星型構造とされている。
【００５３】
図１６（ａ）〜（ｈ）にそれぞ示すように、平面型のコネクター３の通孔部４の形状は、スリット状として横配置スリット状（ａ）、十文字状（ｂ）、前記星型（ｃ）、下に凸のＵ字形（ｄ）、さらにくり抜き形としては丸型（ｅ）、ひし形（ｆ）、正方形（ｇ）、逆三角形（ｈ）とすることができる他、その他の所望の形状に設定することができる。図１６の例においては、平面型のコネクター３の外形は正方形とされている。
【００５４】
(2) 立体型
図１７（ａ）〜（ｅ）にそれぞれ示すように、立体型のコネクター３の形状は、貫通円錐台形（ａ）、円形の通孔部４があるファールカップ（又はグロインガード）様形状を持つ略半球形状（ｂ）、筒状の２つの通孔部４が角度をもって開いて取り付けられた略半球形状（ｃ）、装着者の下腹部の形状に沿った外形略三角形状で人体の局部を囲むべく枠状にくり抜かれたもの（ｄ）及び（ｅ）に設定することができる。図１７の例においては、その形状に応じて男女兼用（ａ〜ｄ）または女性専用（ｅ）として用いることができる。
【００５５】
図１８は平面型と立体型の組み合わせからなる男性専用のコネクター３であり、いずれもペニスが挿通する通孔部４を有する。図１８（ａ）〜（ｆ）にそれぞ示すように、円板状のフランジ１７を有する貫通円錐台形（ａ）、逆台形状のフランジ１７を有する貫通円錐台形（ｂ）、一部が下方に開放された貫通円筒形（ｃ）、左右に張り出した矩形のフランジ１７を有する貫通円錐台形（ｄ）、下方凸形のフランジの下方凸部に貫通円錐台形が設けられたもの（ｅ）、そして下方凸形のフランジを有するとともに（ｅ）の構造よりも長い下方凸部の先端に下方が開放された貫通円筒形の通孔部を設けたもの（ｆ）などの例が挙げられる。特に（ｆ）の形状は先端を長くして装着者の体表面へのフィッティングを改良したものである。
【００５６】
(3) 通孔部４の構造
図１９はコネクター３の通孔部４が筒状である場合の形状・構造を例示するものであり、円筒形（ａ）、角筒形（ｂ）、円錐台形（ｃ）とすることができる。
【００５７】
図２０はコネクター３の通孔部４が前後に貫通した筒状であるが、さらにその他の一部においても開放された場合の構造を例示するものであり、前後に貫通しさらに下半分も開放した山形トンネル形状（ａ）、前後に貫通した山形に近似する略三角筒形状のさらに両側の２隅も開放した形状（ｂ）、図１８（ｃ）と同一の構造であり前後に貫通した円筒形のさらに下半分も開放した形状（ｃ）とすることができる。このように前後以外の部分でも開放された通孔部４の形状構造により、装着者がどのような体位をとっても、尿の流動方向を尿吸収カプセル５側へと集中させることができる。
【００５８】
図２１（ａ），（ｂ）は、いずれも女性専用に設計されたもので、女性局部の形状に添った曲面で構成された女性用のコネクター３ａの一例である。以下、より詳細に説明する。いずれの例も、全体の形状としては、先端部分(P) から深く広がったドーム状の部分(Q) 、そして液の通過部となる円筒状の通孔部４をもつ後端部分(R) からなるカップ状の形状を有している。
【００５９】
さらに、同図（ｂ）の例では、形状保持材からなるドーム状の部分(Q) の外周に添って、さらに軟質ウレタンフォームからなるクッション効果のある縁部(E) を有している。
【００６０】
いずれの例も、先端部分(P) は若干狭く浅い形状で、陰核の前方２〜３ｍｍまで伸び、後端部分(R) は会陰の部分まで被覆するように伸び、装着時に違和感を感じさせないよう若干狭くなっている。ドーム状の部分(Q) の中央の部分は幅が広く深い部分で、大陰唇を被覆するようなサイズとされ、例えば深さが１０〜２０ｍｍ、幅は３０ｍｍ前後となっている。
【００６１】
図５５に、女性の局部と前記コネクターとのフィッティング状態を示す説明図を示す。図５５は、前記コネクターを女性が仰臥位にて装着した状態を側面側から示す断面図である。同図において、尿道口から排出された体液は、この身体に密着したカップ状の前記コネクターのドーム状の部分(Q) に捕集され、漏れることなく後端部分(R) にある通孔部４を通って、後述する尿吸収カプセルに捕集・吸収される。
【００６２】
４．尿吸収カプセル５（図２２〜図３１）
前述した装着カバーが便の捕集を主目的としているのに対し、本例の尿吸収カプセル５は、尿のみを確実に捕集することを目的とし、尿を蓄え、吸収、固定化するものであって、液を漏らさず、ニオイも漏らさない構造とすることが好ましい。さらに、尿により吸収体の色等の状態が変化したことを外側から視認できる等、排尿のチェックが見た目で簡単に判断でき、交換のタイミングがわかりやす仕組みを備えていればなおよい。また、尿吸収カプセル５は、コンパクトでありながら大容量で大量の尿を吸収できる構造とすることが好ましい。さらに、吸収体１１の使用効率を高くすれば無駄が省かれ一層好適である。このように、本例の尿吸収カプセル５によれば、従来の便と尿を分けないオムツ交換に比べ、コスト、ゴミの量が削減でき、介護者のオムツ交換作業効率が良くなる効果がある。
【００６３】
上記の機能・効果を達成するための構造として、この尿吸収カプセル５は、尿を一時溜める袋体と、コネクター３との固定部分と、袋体に設けられたトラップ状の入口部（尿受容部分）と、袋体内に設けられて尿を吸収、固定化する吸収体１１と、袋体の袋体内に設けられて尿を吸収体１１に満遍なく行き渡らせるための液ガイド部と、さらに使用後に捨てる場合に袋体の入口部を封止するためのシール構造とを備えている。袋体は、外部への液漏れや臭気漏れを防ぐため、その外面をフィルムやフィルム／不織布の不透過性材料で構成し、内部にある吸収体１１の膨張に伴って膨張しやすいようにタック２５をとるように構成されていることが好ましい。
なお、尿吸収カプセル５の構造説明に当たって、図２２、図２３及び図３０には吸収体１１を図示しているが、図２４〜図２９では内部にある吸収体の図示は省略している。
【００６４】
(1) 入口部の形状・構造
図２２及び図２３に示す袋体の入口部６（コネクター３の接続部）付近は、コネクター３のフック部分に接続可能となるようなループ構造（不織布等）を配置している。また、同図に示すように、入口部６の近傍の不織布を内方に折り返して、コネクター３や装着カバー１方向への尿の逆流防止の弁１８としている。また、図２４及び図２５に示すように、コネクター３への装着性をより確実なものとするために、入口部６に糸ゴム１９等の弾性手段で伸縮性を持たせてもよい。図２４は入口部６の片面のみに糸ゴム１９を設けて伸縮性を与えた例であり、図２５は入口部６の両面に糸ゴム１９を設けて伸縮性を与えた例である。
【００６５】
(2) 接続手段付き
図２６（ａ），（ｂ）は、入口部６をコネクター３に取り付けて固定するための接続手段として紐２０を有する場合であり、それぞれ装着の前後を示す図である。図２７（ａ），（ｂ）は、入口部６をコネクター３に取り付けて固定するための接続手段として巾着２１を有する場合であり、それぞれ装着の前後を示す図である。図２８（ａ），（ｂ）は、入口部６をコネクター３に取り付けて固定するための接続手段として結束バンド２２を有する場合であり、それぞれ装着の前後を示す図である。この結束バンドは、本願出願人が提案した発明に係る特開２００６−１４９９３号公報に詳細に記載されているが、例えば面ファスナーが設けられた一対の弾性帯体からなり、取付け対称であるコネクター３にかけ回して交差させて固定することができる。図２９（ａ），（ｂ）は、入口部６をコネクター３取にり付けて固定するための接続手段としてカギ状爪部２３を有する場合であり、それぞれ装着の前後を示す図である。以上、いずれの接続手段によっても、入口部６をコネクター３に取り付けて確実に固定することができ、交換時の取外しも容易である。
【００６６】
(3) カプセルの内部構造と吸収体の配置
図３０（ａ）〜（ｃ）に示すように、この尿吸収カプセル５は、液不透過性の材料からなりタック２５をもって膨張可能（体積増大可能）に形成された袋体２６と、袋体２６の内側への返しであるトラップ部となる弁１８を備えた袋体２６の入口部６と、袋体２６の内部に設けられて尿を吸収して固定化する複数の吸収体１１と、袋体２６と前記吸収体１１の間に設けられて入口部６から入ってきた尿を吸収体１１の全面に十分に伝わらせ、行き渡らせるための液ガイド部２７とを有していることが望ましい。
【００６７】
尿吸収カプセル５の重要な機能としては、
1)製品としてコンパクトであるが、十分な容量をもつこと、
2)液状の尿を固定しつつ、形状は安定していること、そして、
3)臭気の発散を防止すること、
が挙げられる。そのためには、パルプを含有せずＳＡＰがその吸収体全量の５０％以上を占めるようなＳＡＰ主体のパルプレス吸収体が好ましい。特に、図５７で例示したようなシート状の吸収体がより望ましい。
【００６８】
この尿吸収カプセル５によれば、液ガイド部２７の作用により受け入れた尿はシート状の吸収体１１の全面に十分に行き渡るため、シート状の吸収体１１の吸収力は無駄なくすべて使用され、大量の尿を吸収することができる。また、タック２５等の配置により、吸収前の袋体２６はコンパクトだが、吸収後は袋体２６が吸収体の膨張に対応して膨らみ、大容量となることがでできる。
【００６９】
(4) 外部捕集型
図３１に示すように、この尿吸収カプセルは、以上説明したような種々の構造によりコネクタを介して装着カバー１に結合された袋体２６を本体とする第１の尿吸収カプセル５と、更にこの第１の尿吸収カプセル５に管２８をもって連通し第１の尿吸収カプセル５に流入した尿を受け入れて貯蔵するタンク状の第２の尿吸収カプセル５ａとを有している。
【００７０】
この尿吸収カプセル５，５ａによれば、コネクター３に接続された第１の尿吸収カプセル５内に排泄された尿を溜めつつ、接続された管２８等で外部の第２の尿吸収カプセル５ａに尿を移して捕集することができるので、大量の尿の排出にも容易に対応することができる。なお、この例の場合は、最終的にタンク状である第２の尿吸収カプセル５ａに尿を移して捕集するので、最初に一時的に尿を溜めておく第１の尿吸収カプセル５には吸収体１１を設けることは必ずしも必要ではなく、少なくとも尿が漏れない液体不通過性のシートで構成されたものであればよい。
【００７１】
５．各要素間の結合構造（図３２〜図５３）
(1) 装着カバー１とコネクター３の接続
図３２は、装着カバー１と装着者の身体との間にコネクター３を挟み、コネクター３の通孔部４を装着カバー１の導出部２から外に突出させて両パーツ１，３を組み合わせる構造を示している。この例によれば、装着者の体位等に応じてコネクター３がある程度移動可能であり、装着しやすいとともに装着後の位置調整等も容易である。
【００７２】
図３３は、装着カバー１と装着者の身体との間にコネクター３を挟み、コネクター３の通孔部４を装着カバー１の導出部２から外に突出させた状態で、コネクター３のフランジ１７の前面に設けたフック構造２９を装着カバー１の不織布に掛止させて両パーツ１，３を組み合わせる構造を示している。この例によれば、装着者の体位の変動によってコネクター３が大きく位置ずれしてしまうことがなく、装着状態が安定している。
【００７３】
図３４は、コネクター３のフランジ１７の後面に設けたフック構造２９を装着カバー１の前面の不織布に掛止させて装着カバー１の外側からコネクター３を取付け、装着カバー１の導出部２とコネクター３の通孔部４を連通させる構造を示している。この例によれば、コネクター３の取付けが容易であり、作業がしやすい。
【００７４】
図３５は、図１４を参照して説明した前見頃無しの装着カバー１の縦バンド１６にコネクター３を取り付ける構造を示している。ここでは、縦バンド１６がループ機能を持つ不織布からなり、これに対してコネクター３の後面に設けたフック構造（図示せず）を掛止させることとしている。この例によれば、コネクター３の取付けが容易であり、作業がしやすい。
【００７５】
(2) コネクター３と尿吸収カプセル５の接続
図３６は、コネクター３の円筒部分に周状に設けたフック構造２９と、尿吸収カプセル５の入口部６の内面に設けたループ機能を持つ不織布を用い、両者を密着、掛止させてコネクター３と尿吸収カプセル５を接続する構造を示す図である。
【００７６】
図３７は、不織布等のループ機能を有する尿吸収カプセル５の入口部６の外面の要所にフック構造２９を設けておき、コネクター３の円筒部分に尿吸収カプセル５を装着して入口部６の周囲を折り畳み、フック構造２９を尿吸収カプセル５の表面のループに掛止させてコネクター３と尿吸収カプセル５を接続する構造を示す図である。
【００７７】
図３８は、コネクター３と尿吸収カプセル５の接続構造を示す断面図であり、同図（ａ）は図１８（ａ）のコネクター３の円筒部を尿吸収カプセル５の入口部６に挿入して前述したフック−ループ構造等により着脱可能に取り付けたものである。また、同図（ｂ）は図１８（ｃ）のコネクター３の円筒部を尿吸収カプセル５の入口部６に挿入して前述したフック−ループ構造等により着脱可能に取り付けたものである。
【００７８】
図３９は、コネクター３と尿吸収カプセル５の接続構造を示す図であり、フランジ状の返しである係止構造３０を備えたコネクター３の円筒部を尿吸収カプセル５の入口部６に挿入し、同入口部６に設けた紐２０を結んで尿吸収カプセル５とコネクター３を着脱可能に取り付けたものである。
【００７９】
図４０は、コネクター３と尿吸収カプセル５の接続構造を示す図であり、フランジ状の返しである係止構造３０を備えたコネクター３の円筒部を尿吸収カプセル５の入口部６に挿入し、同入口部６に設けた巾着２１の紐を引いて縛り、尿吸収カプセル５とコネクター３を着脱可能に取り付けたものである。
【００８０】
図４１は、コネクター３と尿吸収カプセル５の接続構造を示す図であり、係止構造であるカギ状爪部２３を備えたコネクター３の円筒部を、同じく係止構造であるカギ状爪部２３を備えた尿吸収カプセル５の入口部６に挿入し、両係止構造を係合させて尿吸収カプセル５とコネクター３を着脱可能に取り付けたものである。
【００８１】
(4) コネクター付属型の装着カバー１と尿吸収カプセル５の接続
装着カバー１とコネクター３を一体化することにより、さらに装着を容易にすることができる。この装着カバー１は、コネクター３と別体である以上説明した装着カバー１と基本的には同一の機能を有するものであり、便の捕集と、尿吸収カプセル５からあふれ出た尿の吸収を行う。そのため、便受け部と、比較的薄い尿吸収部と、導出部２とを有している。ただし、この導出部２がコネクター付である点が異なる。
【００８２】
図４２及び図４３に示すように、装着カバー１の導出部２にはコネクター３が連通して一体に設けられており、コネクター３の表面にはフック構造が設けられている。図４２は正面側から見た図、図４３は図４２の吸収体製品の側面側から見た断面図及び要部拡大断面図である。尿吸収カプセル５は上部側面に入口部６が開口しており、少なくともその周辺はループ構造を持っている。そして、コネクター３の通孔部４と尿吸収カプセル５の入口部６が連通するように両者を組み合わせ、フック構造とループ構造の係止により両者を結合する。
【００８３】
図４４は、装着カバー１の導出部２に女性専用のコネクター３ａが連通して一体に設けられたものであり、図４５はこのコネクターを用いた女性専用吸収体製品の尿吸収カプセル５の装着前と装着後を示す図である。女性専用のコネクター３ａは、全体として略矩形の外形を有し、その中央に矩形の通孔部４を有し、これが装着カバー１の導出部２（開口部) に連通している。さらに女性専用コネクター３ａは、装着者から見て通孔部４の前後の２つの位置に、装着者の側に突出した２つの突起部３１を有している。図５６に、女性の局部と図４４に示す前記コネクター３ａとのフィッティング状態を示す説明図を示す。この図に示すように、この２つの突起部３１において前側の突起部は女性局部の陰核の前方に接触する位置にあり、この狭窄部に挟み込まれる。後ろ側の突起部３１は会陰に接触する位置にあり、この狭窄部に挟み込まれる。通孔部４は小陰唇部が収容される大きさになっていて通孔部４を囲むフラットなゾーンには大陰唇部が接触するように設計されている。このような構造によって、尿道口から排出された尿が安定に尿カプセル５へと導かれしかも装着者に違和感を感じさせないように工夫されている。なお万が一尿がコネクターから漏れてもコネクター３ａの通孔部４の周囲には吸収体１１があるので外に漏れて下着を汚すような問題は生じない。
【００８４】
(5) コネクター３付属型の尿吸収カプセル５と装着カバー１の接続
尿吸収カプセル５とコネクター３を一体化することにより、さらに装着性が向上し、介護者のオムツ交換作業効率が良くなり、装着カバー１外への尿の漏れを無くし、尿をより確実に捕集できる。この尿吸収カプセル５は、以上説明してきたコネクター３と別体である尿吸収カプセル５と基本的には同一の機能を有するものであり、専ら尿の捕集を行うが、入口部６にコネクター３が固定されている点が異なる。
【００８５】
図４６は、入口部６にコネクター３が付属している尿吸収カプセル５の図であり、コネクター３の表面には装着カバー１のループ構造に掛止するフック構造が設けられている。同図（ａ）〜（ｄ）に変形例を示すようにコネクター３の形状は平板状（ｂ）でもよいし、液の流れを尿吸収カプセル５内へと誘導しやすい曲面形状（ｃ）（ｄ）でもよい。
【００８６】
図４７〜図４９は、入口部６にコネクター３が付属している尿吸収カプセル５の図であり、特にコネクター３が局部に沿った形状をもつ曲面コネクター３の場合を示している。図４７は、図１７（ｂ）に示したコネクター３を利用するものであり、図４８は、図１７（ｅ）に示したコネクター３を利用するものであり、図４９は、図１５（ｆ）に示したコネクター３を利用するものである。いずれのコネクター付き尿吸収カプセル５においても、コネクター３の部分が身体の表面に沿った形状とされており、又はその形状に沿って適度に変形・密着可能なので、装着感に優れ、尿漏れも生じにくい。なお、コネクター３の形状により、男女兼用や女性専用としても用いることができる。
【００８７】
図５０（ａ），（ｂ）及び図５１（ａ），（ｂ）は、平板型のコネクター３付きの尿吸収カプセル５と装着カバー１の接続前後の状態を示す正面側斜視図及び側面図である。この例の尿吸収カプセル５は図４６に示すものと同一であり、尿吸収カプセル５と一体のコネクター３の表面にはフック構造が設けられており、装着カバー１の導出部２の外側に掛止させて取り付けることができる。
【００８８】
図５２（ａ），（ｂ）及び図５３（ａ），（ｂ）は、立体型のコネクター３付きの尿吸収カプセル５と装着カバー１の接続前後の状態を示す正面側斜視図及び側面図である。この例の尿吸収カプセル５は図４７に示すものと同一であり、尿吸収カプセル５と一体のコネクター３を、装着カバー１の導出部２から中に入れ込んで装着する。
【００８９】
６．本例の製品における各要素の組み合わせ例（図５４）
以上説明したように、本実施形態の吸収体製品は、基本的に装着カバー１と、尿吸収カプセル５と、これらを結合するコネクター３とによって構成され、これら各部品の組み合わせは本発明の目的が達成可能であることを条件として本明細書にて開示された種々のパターンを任意に組み合わせて実施することができる。
【００９０】
図５４は、本実施形態で開示した範囲における各構成部分の具体的な組み合わせ例を１例として示したものであり、図２に示したようなテープ型の装着カバー１と、図２０（ａ）及び図１８（ｅ）に示す男性用の各コネクター３を合せたような逆Ｔ字型フランジ付きのコネクター３と、図２４に示すような入口部６に糸ゴム１９を有する尿吸収カプセル５とを組み合わせたものである。
【図面の簡単な説明】
【００９１】
【図１】本例の吸収体製品の一構成例を示す斜視図である。
【図２】本例の吸収体製品の他の構成例を示す斜視図である。
【図３】本例の吸収体製品における装着カバーの一例の展開図である。
【図４】本例の吸収体製品における装着カバーの変形例の展開図である。
【図５】本例の吸収体製品における装着カバーの変形例の展開図である。
【図６】本例の吸収体製品における装着カバーの変形例の展開図である。
【図７】本例の吸収体製品の装着カバーにおけるスリット状の導出部（開口部）の形状例を示す図である。
【図８】本例の吸収体製品の装着カバーにおけるくり抜き状の導出部（開口部）の形状例を示す図である。
【図９】本例の吸収体製品の装着カバーにおける折り返し状の導出部（開口部）の形状例を示す図である。
【図１０】本例の吸収体製品の装着カバーにおける導出部（開口部）の加工処理方法及び構造を示す模式的断面図である。
【図１１】本例の吸収体製品の装着カバーにおける導出部（開口部）の加工処理方法及び構造を示す模式的断面図である。
【図１２】本例の吸収体製品の装着カバーにおける導出部（開口部）の加工処理方法及び構造を示す模式的断面図である。
【図１３】本例の吸収体製品の装着カバーにおける導出部（開口部）の加工処理方法及び構造を示す模式的断面図である。
【図１４】本例の吸収体製品の装着カバーの変形例を示す斜視図である。
【図１５】本例の吸収体製品の平板型のコネクターにおいて外形のバリエーションを示す正面図である。
【図１６】本例の吸収体製品の平板型のコネクターにおいて通孔部の形状のバリエーションを示す正面図である。
【図１７】本例の吸収体製品の立体型のコネクターにおいて曲面からなる外形のバリエーションを示す斜視図である。
【図１８】本例の吸収体製品の立体型のコネクターにおいて曲面と平面からなる外形のバリエーションを示す斜視図である。
【図１９】本例の吸収体製品のコネクターにおける通孔部の形状のバリエーションを示す斜視図である。
【図２０】本例の吸収体製品のコネクターにおける通孔部の形状のバリエーションを示す斜視図である。
【図２１】本例の吸収体製品のコネクターにおける通孔部の形状のバリエーションを示す斜視図である。
【図２２】本例の吸収体製品における尿吸収カプセルの斜視図及び断面図である。
【図２３】本例の吸収体製品における尿吸収カプセルの斜視図及び断面図である。
【図２４】本例の吸収体製品における尿吸収カプセルの斜視図である。
【図２５】本例の吸収体製品における尿吸収カプセルの斜視図である。
【図２６】本例の吸収体製品における尿吸収カプセルの装着前及び装着後の斜視図である。
【図２７】本例の吸収体製品における尿吸収カプセルの装着前及び装着後の斜視図である。
【図２８】本例の吸収体製品における尿吸収カプセルの装着前及び装着後の斜視図である。
【図２９】本例の吸収体製品における尿吸収カプセルの装着前及び装着後の斜視図である。
【図３０】本例の吸収体製品における尿吸収カプセルの内部構造を示す透視正面図、縦断面図及び横断面図である。
【図３１】本例の変形例である２つの尿吸収カプセルを使用する外部捕集型の吸収体製品を示す斜視図である。
【図３２】本例の吸収体製品における装着カバーとコネクターの接続状態を示す斜視図及び側断面図である。
【図３３】本例の吸収体製品における装着カバーとコネクターの接続状態を示す斜視図及び側断面図、横断面図である。
【図３４】本例の吸収体製品における装着カバーとコネクターの接続状態を示す斜視図及び側断面図、横断面図である。
【図３５】本例の吸収体製品における装着カバーとコネクターの接続状態を示す斜視図及び側断面図である。
【図３６】本例の吸収体製品におけるコネクターと尿吸収カプセルとの接続手順及び接続状態を示す斜視図である。
【図３７】本例の吸収体製品におけるコネクターと尿吸収カプセルとの接続手順及び接続状態を示す斜視図である。
【図３８】本例の吸収体製品におけるコネクターと尿吸収カプセルとの接続状態を示す縦断面図である。
【図３９】本例の吸収体製品におけるコネクターと尿吸収カプセルとの接続手順及び接続状態を示す斜視図である。
【図４０】本例の吸収体製品におけるコネクターと尿吸収カプセルとの接続手順及び接続状態を示す斜視図である。
【図４１】本例の吸収体製品におけるコネクターと尿吸収カプセルとの接続手順及び接続状態を示す断面図である。
【図４２】本例の吸収体製品におけるコネクター付きの装着カバーと尿吸収カプセルとの接続前後の状態を示す斜視図である。
【図４３】本例の吸収体製品におけるコネクター付きの装着カバーと尿吸収カプセルとの接続前後の状態を示す側断面図及び要部拡大断面図である。
【図４４】本例の吸収体製品における女性用コネクター付きの装着カバーの展開図である。
【図４５】本例の吸収体製品における尿吸収カプセルの装着前と装着後を示す斜視図である。
【図４６】本例の吸収体製品におけるコネクター付きの尿吸収カプセルの正面図と、その変形例を示す断面図である。
【図４７】本例の吸収体製品における立体曲面型コネクター付きの尿吸収カプセルの斜視図及び側面図である。
【図４８】本例の吸収体製品における立体曲面型コネクター付きの尿吸収カプセルの斜視図及び側面図である。
【図４９】本例の吸収体製品における局部フット型コネクター付きの尿吸収カプセルの正面図及び側面図である。
【図５０】本例の吸収体製品における尿吸収カプセルの装着前と装着後を示す斜視図である。
【図５１】本例の吸収体製品における尿吸収カプセルの装着前と装着後を示す側面図である。
【図５２】本例の吸収体製品における尿吸収カプセルの装着前と装着後を示す斜視図である。
【図５３】本例の吸収体製品における尿吸収カプセルの装着前と装着後を示す側面図である。
【図５４】本例の吸収体製品における装着カバーと、コネクターと、尿吸収カプセルの組合せの一例における組合せ装着手順を示す斜視図である。
【図５５】女性の局部と図２１に示す女性用のコネクターとのフィッティング状態を示す説明図である。
【図５６】女性の局部と図４４（ｂ）に示す女性用のコネクターとのフィッティング状態を示す説明図である。
【図５７】本例において好適に使用可能なシート状の吸収体を示す平面図及び同平面図のＸ−Ｘ’切断線における断面図である。
【図５８】本例において好適に使用可能なシート状の吸収体の他の例を示す平面図及び同平面図のＸ−Ｘ’切断線における断面図である。
【符号の説明】
【００９２】
１  装着カバー                                                                  ２  導出部（開口部）
３  コネクター
３ａ  女性用のコネクター
４  コネクターの通孔
５  尿吸収カプセル（第１の尿吸収カプセル）
５ａ  タンク式の尿吸収カプセル（第２の尿吸収カプセル）
６  入口部
１１  吸収体
２６  袋体
２７  液ガイド部
２８  管
【図２】
2007325717.tif 000003
【図３】
2007325717.tif 000004
【図４】
2007325717.tif 000005
【図５】
2007325717.tif 000006
【図６】
2007325717.tif 000007
【図７】
2007325717.tif 000008
【図８】
2007325717.tif 000009
【図９】
2007325717.tif 000010
【図１０】
2007325717.tif 000011
【図１１】
2007325717.tif 000012
【図１２】
2007325717.tif 000013
【図１３】
2007325717.tif 000014
【図１５】
2007325717.tif 000015
【図１６】
2007325717.tif 000016
【図１７】
2007325717.tif 000017
【図１８】
2007325717.tif 000018
【図１９】
2007325717.tif 000019
【図２０】
2007325717.tif 000020
【図２１】
2007325717.tif 000021
【図２４】
2007325717.tif 000022
【図２５】
2007325717.tif 000023
【図２６】
2007325717.tif 000024
【図２７】
2007325717.tif 000025
【図２８】
2007325717.tif 000026
【図２９】
2007325717.tif 000027
【図３０】
2007325717.tif 000028
【図３１】
2007325717.tif 000029
【図３６】
2007325717.tif 000030
【図３７】
2007325717.tif 000031
【図３８】
2007325717.tif 000032
【図３９】
2007325717.tif 000033
【図４０】
2007325717.tif 000034
【図４１】
2007325717.tif 000035
【図４４】
2007325717.tif 000036
【図４５】
2007325717.tif 000037
【図４６】
2007325717.tif 000038
【図４７】
2007325717.tif 000039
【図４８】
2007325717.tif 000040
【図４９】
2007325717.tif 000041
【図５２】
2007325717.tif 000042
【図５４】
2007325717.tif 000043
【図５５】
2007325717.tif 000044
【図５７】
2007325717.tif 000045
【図５８】
2007325717.tif 000046
【図１】
2007325717.tif 000047
【図１４】
2007325717.tif 000048
【図２２】
2007325717.tif 000049
【図２３】
2007325717.tif 000050
【図３２】
2007325717.tif 000051
【図３３】
2007325717.tif 000052
【図３４】
2007325717.tif 000053
【図３５】
2007325717.tif 000054
【図４２】
2007325717.tif 000055
【図４３】
2007325717.tif 000056
【図５０】
2007325717.tif 000057
【図５１】
2007325717.tif 000058
【図５３】
2007325717.tif 000059
【図５６】
2007325717.tif 000060